(57)【要約】【課題】スライド開閉蓋を有する楽器本体の奥行きを短くすると共に、構成を複雑化することなく鍵盤楽器の外観を向上させる。【解決手段】鍵盤楽器本体ＫＢＵには、前後方向にスライドして開閉されるスライド開閉蓋４２が備えられる。屋根板部６１の前部から斜め前下方に前板部６２が延び、前板部６２の下部に譜面受け部材６３が取り付けられる。譜面受け部材６３は譜面８４の下端を保持し、譜面板７９の譜面保持面７９ａと前板部６２の前面６２ａとが協働して譜面８４の背面を保持する。蓋体４２の閉蓋状態において、譜面受け部材６３は、蓋体４２の後部４２ａと前板部６２の下部６２ｂとを橋渡しするような位置に位置し、鍵盤楽器本体ＫＢＵの内部を目隠しする。【選択図】図２
2010020355.tif 000002
【特許請求の範囲】
【請求項１】
前後方向にスライドすることで開閉されるスライド開閉蓋を有する鍵盤楽器に備えられる譜面台装置であって、
屋根板と、
前記屋根板の前部から斜め前方下方に垂下して設けられ、譜面の背面を保持する前板部と、
前記スライド開閉蓋の閉蓋状態時に、前記スライド開閉蓋の後部と前記前板部の下部とを橋渡しするような位置に設けられ、前記譜面の下端を保持する譜面受け部とを有することを特徴とする譜面台装置。
【発明の詳細な説明】
【技術分野】
【０００１】
本発明は、鍵盤楽器等に備えられる譜面台装置に関する。
【背景技術】
【０００２】
従来、鍵盤楽器の屋根板等の載置台上に譜面板を立設して成る譜面台装置が知られている（例えば、下記特許文献１）。この装置では、載置台に固定される取付板と、譜面板に固定される固定板と、固定板の上端に軸支された支持板とを有し、支持板の自由端を取付板に係止して、これら３部材で側面視三角形状を成すようにし、譜面板をやや後倒させた立設状態に維持するようにしている。取付板は、載置台に対してネジ等で固着される。
【先行技術文献】
【特許文献】
【０００３】
【特許文献１】特許３３１７１０９号公報
【発明の概要】
【発明が解決しようとする課題】
【０００４】
しかしながら、上記特許文献１の譜面台装置では、取付板を載置台に対して固着する際、通常、ドライバ等の作業工具で上方から固着作業を行うが、固着部分の上方には立設された譜面板の上端部が存在するため、そのままでは作業工具と譜面板とが干渉しやすく、固着作業を行いにくい。そのため、通常、譜面板を一旦前方に起こす必要がある。このことから、立設時における譜面板の下端面（倒設時における前端面）が載置台と干渉しないように、該下端面と載置台との間に適当な間隙を設けておく必要がある。このような間隙が存在することで、固着作業時や譜面板の立設／倒設操作時にこの間隙に指や異物を挟むおそれがあり、安全でないばかりか、前方からの見栄えもよくないという問題があった。
【０００５】
あるいは、仮に、取付板の前後長を十分に長く形成し、取付板の後部に固着部分を配置したとすると、固着作業時における作業工具と譜面板との干渉は避けられるが、取付板が大型化して作業性が悪くなるだけでなく、取付板の主に前部における載置台との固定強度が弱くなって固定状態が安定しない。
【０００６】
また、上記特許文献１の譜面台装置において、譜面受け部は、載置台である屋根板上に設けられるので、譜面位置が比較的高く、見やすさの点では改善の余地があった。
【０００７】
ところで、前後にスライド開閉されるスライド開閉蓋を備えた鍵盤楽器においては、一般に、閉蓋時において楽器本体内部が見えないように、スライド開閉蓋で楽器本体内部を目隠しするように構成される。しかしながら、その場合、スライド開閉蓋の前後長が長くなることから、開蓋時におけるスライド開閉蓋の収容スペースを確保するために、結果的に、楽器本体の奥行きが長くなるという問題があった。その一方、楽器本体内部の目隠しだけのために部材を別途設けるとすると、構成が複雑化するだけでなく、外観上も良好でない。
【０００８】
本発明の目的は、譜面受け部が楽器本体内部の目隠し機能を果たせるようにして、スライド開閉蓋を有する楽器本体の奥行きを短くすると共に、構成を複雑化することなく鍵盤楽器の外観を向上させることができる譜面台装置を提供することにある。
【課題を解決するための手段】
【０００９】
上記目的を達成するために本発明の請求項１の譜面台装置は、前後方向にスライドすることで開閉されるスライド開閉蓋（４２）を有する鍵盤楽器に備えられる譜面台装置であって、屋根板と、前記屋根板の前部から斜め前方下方に垂下して設けられ、譜面（８４）の背面を保持する前板部（６２）と、前記スライド開閉蓋の閉蓋状態時に、前記スライド開閉蓋の後部（４２ａ）と前記前板部の下部（６２ｂ）とを橋渡しするような位置に設けられ、前記譜面の下端を保持する譜面受け部（６３）とを有することを特徴とする。
【００１０】
この構成によれば、譜面受け部は、閉蓋状態時においてスライド開閉蓋の後部と前記前板部の下部とを橋渡しするような位置に設けられるので、譜面の下端を保持するだけでなく、楽器本体内部を目隠しする。従って、楽器本体内部の目隠しのためにスライド開閉蓋の前後長を長くする必要がないことから、開蓋時におけるスライド開閉蓋の収容スペースが小さくて済む結果、楽器本体の奥行きを短くすることができる。また、目隠し専用の部材を設ける場合に比し、構成が簡単で、意匠的にも有利である。よって、譜面受け部が楽器本体内部の目隠し機能を果たせるようにして、スライド開閉蓋を有する楽器本体の奥行きを短くすると共に、構成を複雑化することなく鍵盤楽器の外観を向上させることができる。
【００１１】
なお、上記括弧内の符号は例示である。
【発明の効果】
【００１２】
本発明によれば、譜面受け部が楽器本体内部の目隠し機能を果たせるようにして、スライド開閉蓋を有する楽器本体の奥行きを短くすると共に、構成を複雑化することなく鍵盤楽器の外観を向上させることができる。
【図面の簡単な説明】
【００１３】
【図１】本発明の一実施の形態に係る譜面台装置が適用される鍵盤楽器の上半部の斜視図（図（ａ））、及び同鍵盤楽器の上半部の右側面図（図（ｂ））である。
【図２】鍵盤楽器本体及び屋根ユニットの分解図である。
【図３】譜面台ユニットの要部の側面図（図（ａ））、取付部材の平面図（図（ｂ））、及び譜面押さえ部の平面図（図（ｃ））である。
【発明を実施するための形態】
【００１４】
以下、本発明の実施の形態を図面を参照して説明する。
【００１５】
図１（ａ）は、本発明の一実施の形態に係る譜面台装置が適用される鍵盤楽器の上半部の斜視図である。図１（ｂ）は、同鍵盤楽器１の上半部の右側面図である。図２は、鍵盤楽器本体ＫＢＵ及び屋根ユニットＲＵの分解図である。
【００１６】
鍵盤楽器１は、大まかには、支持体ユニットＳＵに、鍵盤楽器本体ＫＢＵ及び屋根ユニットＲＵを組み付けて成る。さらに、屋根ユニットＲＵには、譜面台ユニットＭＳＵが装着される。以降、鍵盤楽器１及び譜面台ユニットＭＳＵの前後左右の方向は、譜面台ユニットＭＳＵが装着された状態において奏者を基準として呼称する。
【００１７】
鍵盤楽器本体ＫＢＵは、左右両側に配設された、山板に相当する側板４１と、左右の側板４１の後部同士を連結する背板４６と、左右の側板４１間に配設された不図示の鍵盤と、該鍵盤を覆う蓋体４２とを有する。鍵盤楽器本体ＫＢＵにおいて、右側と左側とは左右対称であって構成が同様であり、図１（ｂ）、図２では、右側の構成を図示している。
【００１８】
図２に示すように、鍵盤楽器本体ＫＢＵにおいて、蓋体４２の後部４２ａの左右両側には、各１つのピニオンギヤ４７が取り付けられる。また、各ピニオンギヤ４７に対応し、各ピニオンギヤ４７と噛み合う各１つのラック４８が、鍵盤楽器本体ＫＢＵの後半部に設けられている（図１（ｂ）も参照）。蓋体４２はスライド開閉式となっており、前後に付勢されることで、ピニオンギヤ４７が対応するラック４８上を転がり、蓋体４２が前後方向に移動する。
【００１９】
図１（ｂ）、図２に示すように、両側板４１の内側には、屋根ユニットＲＵの前板部６２（後述）が当接する当接部材５０、５１と、固定部材４３とが固定されている。この固定部材４３には、図２に示すように、屋根ユニットＲＵを取り付けるための屋根ユニット取り付け金具４４が取り付けられている。
【００２０】
屋根ユニット取り付け金具４４の上面部には、前後方向に長い保持穴４４ａが形成され、この保持穴４４ａの前部は幅が広い幅広部分となっている（詳細は図示せず）。また、屋根ユニット取り付け金具４４の上面部は、後方にいくにつれて低くなっている（図２参照）。この保持穴４４ａには、後述する係合用ボルト６４が係合し、屋根ユニットＲＵを鍵盤楽器本体ＫＢＵに固定する役割の一部を果たす。
【００２１】
図２に示すように、屋根ユニットＲＵは、屋根板部６１と、屋根板部６１の前部から斜め前下方に延びる前板部６２とが一体に形成され、さらに、前板部６２の下部に譜面受け部材６３が取り付けられて構成される。屋根板部６１において、左右両端部の下面には、スペーサ６５を介して、屋根ユニット取り付け金具４４に対応する係合用ボルト６４が取り付けられている。また、屋根板部６１の左右両端部における後部下面には、固着用金具６６が取り付けられている。さらに、前板部６２の下部６２ｂの後面には、側面視「ヘ」字状の固定金具６７の一片が２つのネジ５２で固定され、この固定金具６７の他片に、譜面受け部材６３の下面がネジ６９で固定されている。譜面受け部材６３は、譜面８４の下端を保持する役割を果たす。これと共に、後述するように、譜面板７９の譜面保持面７９ａと前板部６２の前面６２ａとが協働して譜面８４の背面を保持する（図２参照）。
【００２２】
図１（ｂ）に示すように、蓋体４２の閉蓋状態において、譜面受け部材６３は、蓋体４２の後部４２ａと前板部６２の下部６２ｂとを橋渡しするような位置に位置し、鍵盤楽器本体ＫＢＵの内部を目隠している。これにより、鍵盤楽器本体ＫＢＵの内部の目隠しのために、蓋体４２の後部４２ａを後方に長く延設する必要がなく、蓋体４２の前後長を短くすることができることから、開蓋時における蓋体４２の収容スペースが小さくて済む結果、鍵盤楽器本体ＫＢＵの奥行きを短くすることができる。また、譜面受け部材６３は、譜面８４の下端を保持する機能をも果たすものであるので、目隠し専用の部材を設ける場合に比し、構成が複雑化しない。さらに、譜面受け部材６３は前部ほど厚み（高さ）が厚くなっており、これにより、前方からみた見栄えもよくなっている。
【００２３】
また、譜面受け部材６３は、屋根板部６１の上面６１ａより十分に低い位置に配置されており、その分だけ譜面８４が低い位置に保持される。これにより、例えば、屋根板部６１の上面６１ａに譜面受け部材を設けた場合に比し、低くて見やすい位置に譜面８４を保持することができる。
【００２４】
上記屋根ユニット取り付け金具４４の保持穴４４ａは、係合用ボルト６４の頭部より狭く、保持穴４４ａの上記幅広部分は、係合用ボルト６４の頭部より広くなっている。屋根ユニットＲＵを鍵盤楽器本体ＫＢＵに組み付ける際には、屋根ユニットＲＵを前方から後方に移動させつつ、係合用ボルト６４の頭部を保持穴４４ａの幅広部分に挿入し、側板４１上を、屋根ユニットＲＵを後方にスライドさせる。屋根ユニット取り付け金具４４の上面部は、後方にいくにつれて低くなっているので（図２参照）、屋根ユニットＲＵを後退させるほど、係合用ボルト６４と保持穴４４ａとの係合により、係合用ボルト６４の頭部が屋根ユニット取り付け金具４４の上面部から下方への付勢力を受け、これにより、屋根ユニットＲＵが側板４１側に押しつけられる。
【００２５】
そして、固着用金具６６が背板４６に当接するまで屋根ユニットＲＵを後退させる。このとき、屋根ユニットＲＵの前板部６２も、当接部材５０、５１と当接する。この状態で、固着用金具６６を背板４６に螺着固定することで、屋根ユニットＲＵが鍵盤楽器本体ＫＢＵに組み付けられる。また、前板部６２の下部６２ｂには、モニタ用スピーカ６８（６８Ｌ、６８Ｒ）が内装されている（図１（ｂ）も参照）。
【００２６】
譜面台ユニットＭＳＵは、屋根板部６１の上面６１ａに着脱自在に装着される（図１（ｂ）参照）。図２に示すように、譜面台ユニットＭＳＵは、可倒式の譜面板７９のほか、取付部材７１、固定部材７２及び支持部材７３を備える。譜面板７９は、図２に示すように、やや後倒された立設状態（以下、単に「立設状態」と称する）で使用され、譜面８４を保持する。立設状態では、取付部材７１、固定部材７２及び支持部材７３が側面視で三角形状を呈し、これらが譜面板支持装置７０を構成する。図１に示すように、譜面板支持装置７０は、譜面板７９の左右両端部において同じ構成のものが配置される。従って、譜面板支持装置７０については一方のものの構成のみ説明する。
【００２７】
また、譜面受け部材６３には、譜面押さえ部８０（８０Ｌ、８０Ｒ）が設けられる。譜面押さえ部８０Ｌ、８０Ｒは、図１に示すように、左右方向における譜面板７９の両端部より内側位置において譜面受け部材６３に配設される。
【００２８】
図３（ａ）は、譜面台ユニットＭＳＵの要部の側面図、同図（ｂ）は取付部材７１の平面図、同図（ｃ）は譜面押さえ部８０（８０Ｒ）の平面図である。譜面押さえ部８０Ｌ、８０Ｒは左右対称に同様に構成されるので、譜面押さえ部８０については、図３（ｃ）を用いて、代表して右側の譜面押さえ部８０Ｒの構成を説明する。
【００２９】
まず、図３（ａ）に示すように、譜面板支持装置７０において、固定部材７２の一端部７２ａと取付部材７１の一端部７１ａとは、回動軸部７４で軸支され、固定部材７２の他端部７２ｂと支持部材７３の一端部７３ａとは、回動軸部７５で軸支されている。取付部材７１の他端部７１ｂには、上方に屈曲形成された係止部７１ｃが設けられている。固定部材７２は、譜面板７９の裏面（後面）にネジ７８で固着される。取付部材７１は、屋根板部６１の上面６１ａに係合ボルト７６及びネジ７７で固着される。これにより、譜面板７９が、回動軸部７４を中心として、屋根板部６１に対して回動自在にされる。また、支持部材７３は、回動軸部７５を中心として回動し、その自由端部７３ｂが取付部材７１の係止部７１ｃに係止されることで、譜面板７９を支持する。このとき、譜面板支持装置７０が側面視三角形状を呈し、譜面板７９が立設状態となる。
【００３０】
係合ボルト７６は、首部７６ｂと、首部７６ｂより大径の頭部７６ａとが屋根板部６１の上面６１ａから突出しており、頭部７６ａが上面６１ａから首部７６ｂの分だけ浮いた状態で屋根板部６１に螺合されている。また、図３（ｂ）に示すように、取付部材７１には、係合ボルト７６に対応する位置に、平面視ひょうたん型の係合穴７１ｄが貫通して設けられている。係合穴７１ｄは、係合ボルト７６の頭部７６ａより大径の大穴７１ｄ１と、係合ボルト７６の首部７６ｂとほぼ同径の小穴７１ｄ２とが繋がって形成され、大穴７１ｄ１の方が後方に位置している。また、取付部材７１の後部７１ｂであって、係合穴７１ｄの後方には、ネジ７７を螺合するための締結用穴８３が２つ設けられる。
【００３１】
譜面台ユニットＭＳＵは、通常、鍵盤楽器本体ＫＢＵに屋根ユニットＲＵを組み付けた後に装着される。譜面台ユニットＭＳＵは次のようにして屋根ユニットＲＵに装着される。
【００３２】
すなわち、まず、支持部材７３の自由端部７３ｂを取付部材７１の係止部７１ｃに係止して、譜面板支持装置７０を側面視三角形状とした状態（譜面板７９は立設状態に相当している）のまま、係合穴７１ｄの大穴７１ｄ１に係合ボルト７６の頭部７６ａを通し、取付部材７１を屋根板部６１の上面６１ａに当接させる。次に、上記状態のまま、上面６１ａ上を、譜面台ユニットＭＳＵを後方にスライド移動させて、係合穴７１ｄの小穴７１ｄ２に係合ボルト７６の首部７６ｂを係合させる。首部７６ｂ後端に小穴７１ｄが突き当たったとき、小穴７１ｄ２と首部７６ｂとが嵌合し、譜面台ユニットＭＳＵの位置が、ほぼ適切な位置となるようになっている。また、係合ボルト７６の頭部７６ａと屋根板部６１の上面６１ａとの間隙は、取付部材７１の厚みとほぼ同じに設定されており、これにより、小穴７１ｄ２と首部７６ｂとが嵌合したとき、係合ボルト７６の頭部７６ａが取付部材７１を簡易的に固定する役割を果たす。
【００３３】
その後、取付部材７１の後部７１ｂを、締結用穴８３を介して、ネジ７７で屋根板部６１に螺着固定する。この固着作業は、例えば、ドライバを上方からネジ７７の頭に差し込んで回転操作することでなされる。ここで、締結用穴８３が取付部材７１の後部７１ｂに位置しているので、図２に示すように、立設状態にある譜面板７９の最後部となっている、譜面板７９の上部後縁７９ｂのうち最も後方にある部分が、締結用穴８３乃至ネジ７７の鉛直方向の延長線Ｌ１上にほぼ位置する。
【００３４】
ここで、図１に示すように、譜面板７９は正面視で扇形、すなわち、譜面板７９の上部は正面視で円弧状に形成され、立設時の上下方向の長さは、左右方向における中央が最も長く、左右にいくほど短くなっている。従って、譜面板７９を立設したとき、譜面板７９の上端後縁７９ｂは、左右端に近いほど前方に位置する。そのため、図３（ｂ）に示すように、締結用穴８３の鉛直上に限ってみれば、譜面板７９の上端後縁７９ｂの位置は、締結用穴８３の中心位置より十分に前方にある。従って、締結用穴８３乃至ネジ７７の鉛直上においては、延長線Ｌ１上に譜面板７９が近接して存在することがない。
【００３５】
このことから、ネジ７７の螺着作業時においてドライバと譜面板７９とが干渉することがなく、上方からの固着作業が支障なく行える。このようにして、譜面板７９を一旦前方に起こすことなく、立設状態を維持したまま譜面台ユニットＭＳＵを装着することができる。しかも、譜面板支持装置７０が、扇型の譜面板７９の左右両端部に近い位置に配置されたことで、ドライバと譜面板７９との干渉回避を確保する上で、締結用穴８３の位置を極力前方に位置させることができ、すなわち、取付部材７１の奥行きを短く設定することができる。なお、ネジ７７のドライバ等による螺着作業を一層容易にする観点からは、締結用穴８３の位置は、立設状態にある譜面板７９の最後部よりも十分に後方であることが望ましい。
【００３６】
ところで、取付部材７１、固定部材７２は板状に構成される。支持部材７３も板状に構成されるが、その自由端部７３ｂを取付部材７１の係止部７１ｃに係止した状態では、ネジ７７の上方に位置する支持部材７３の部分には肉部が存在しないように形成され、ドライバ操作の邪魔にならないようになっている。なお、支持部材７３は、ネジ７７の位置を避けるように構成すれば、棒状部材で構成してもよい。
【００３７】
係合穴７１ｄは取付部材７１の前半部に位置し、締結用穴８３は取付部材７１の後部７１ｂに位置していることで、取付部材７１を屋根板部６１に固着したとき、前後のバランスがよく、前後方向の力を受けてもぐらつき等がなく安定している。従って、取付部材７１を後部においてのみ（ネジ７７のみで）固着した場合に比し、譜面板７９の立設状態がより安定的に維持される。
【００３８】
ここで、図３（ａ）に示すように、譜面板７９の下端面７９ｃは、譜面板７９の前面である譜面保持面７９ａに対して鋭角を成す。また、譜面板７９の立設状態において、譜面板７９の下端面７９ｃと屋根板部６１の上面６１ａとは略平行で、両者間には小さな間隙Ｓ１が生じている。間隙Ｓ１が小さく、しかも取付部材７１を屋根板部６１に固着する際に譜面板７９を前方に起こす必要がないことから、間隙Ｓ１に指や異物を挟むことがなく、安全で、譜面台ユニットＭＳＵの装着作業も容易である。それだけでなく、間隙Ｓ１が小さいことから、意匠的にも見栄えがよい。
【００３９】
譜面板７９は、図２に、倒設状態の譜面板７９（Ｐ１）及び支持部材７３（Ｐ１）を示すように、支持部材７３の係止部７１ｃとの係止を解くことで倒すことができる。支持部材７３の係止部７１ｃとの係止及び係止解除の際には、図２に譜面板７９（Ｐ２）を示すように、譜面板７９を僅かに前方に起こす必要があるが、その際の必要変位量は僅かであるので、上記間隙Ｓ１も小さくて足りる。間隙Ｓ１が小さいことで、譜面板７９の立設／倒設操作時においても、間隙Ｓ１に指や異物を挟むおそれが少ない。
【００４０】
また、譜面板７９を立設状態にしたとき、図２、図３（ａ）に示すように、譜面板７９の譜面保持面７９ａと前板部６２の前面６２ａとは面一になる。これら譜面保持面７９ａ及び前面６２ａは、協働して譜面８４の背面を保持する。従って、譜面８４を背後から保持する面の途中に段差がなく、譜面８４を適切に保持することができる。それだけでなく、譜面８４を載置していない状態においては、譜面保持面７９ａ及び前面６２ａが面一であること、及び間隙Ｓ１が小さいことから、外観上も良好となっている。しかも、モニタ用スピーカ６８の前端面も前板部６２の前面６２ａと面一となっており、外観の向上に寄与している。
【００４１】
図２に示すように、譜面押さえ部８０は、譜面受け部材６３に内装される。図３（ｃ）に示すように、譜面押さえ部８０は、指掛け用凹部８１と譜面押さえ棒８２とで構成される。譜面押さえ棒８２は、回動部８２ａで左右方向に回動し、自由端部の立設及び倒設が可能となっている。上記したように、譜面受け部材６３は厚く形成されており、譜面押さえ部８０を内装するスペースが確保されている。従って、譜面押さえ部８０が譜面受け部材６３の下方に突出することがなく、蓋体４２と干渉しないように譜面押さえ部８０を設けることが容易となっている。すなわち、譜面受け部材６３を厚く形成したことにより、スペースを有効に利用して譜面押さえ部８０が配置されるだけでなく、譜面受け部材６３に重厚感があって意匠的にも良好である。
【００４２】
本実施の形態によれば、譜面板７９を立設状態に維持したまま譜面台ユニットＭＳＵを後方にスライド移動させ、係合穴７１ｄの小穴７１ｄ２に係合ボルト７６の首部７６ｂを嵌合し、締結用穴８３を介して、ネジ７７で取付部材７１を屋根板部６１に固着できるように構成し、且つ譜面板７９の下端面７９ｃと屋根板部６１の上面６１ａとの間隙Ｓ１を小さくしたので、譜面台ユニットＭＳＵの安定した装着を安全に且つ容易に行うと共に、鍵盤楽器１の外観を向上させることができる。
【００４３】
本実施の形態によればまた、譜面板７９の立設状態において、譜面板７９の譜面保持面７９ａと前板部６２の前面６２ａとが面一となって、協働して譜面８４の背面を保持するので、譜面８４を背後から保持する面に段差がなく、譜面８４を適切に保持することができると共に外観も良好である。しかも、譜面受け部材６３は、屋根板部６１の上面６１ａより低い位置に配置されているので、低くて見やすい位置に譜面８４を保持することができる。
【００４４】
本実施の形態によればまた、譜面受け部材６３は、蓋体４２の後部４２ａと前板部６２の下部６２ｂとを橋渡しするような位置に設けられて、譜面８４の保持機能だけでなく、鍵盤楽器本体ＫＢＵの内部を目隠しする役割を果たすので、蓋体４２の前後長を長くする必要がないことから、スライド開閉型の蓋体４２を有する本鍵盤装置１において、鍵盤楽器本体ＫＢＵの奥行きを短くすることができる。また、目隠し専用の部材を設ける場合に比し、構成が簡単で、意匠的にも有利であり、外観向上に寄与する。
【００４５】
さらに、厚く形成した譜面受け部材６３に譜面押さえ部８０を内装したので、蓋体４２に干渉することなく譜面押さえ部８０を設けることが容易であり、配置スペースを有効に利用できるだけでなく、譜面受け部材６３の厚みにより外観も良好である。
【００４６】
なお、本実施の形態では、譜面台ユニットＭＳＵの装着時において、譜面台ユニットＭＳＵを後方にスライド移動させることで、係合穴７１ｄの小穴７１ｄ２に係合ボルト７６の首部７６ｂを係合させたが、譜面台ユニットＭＳＵの移動方向は後方に限定されず、係合穴７１ｄの形を変更すると共に、左右方向または斜め方向に移動させる構成であってもよい。
【００４７】
なお、譜面受け部材６３が鍵盤楽器本体ＫＢＵ内部の目隠し機能を果たせるようにして、鍵盤楽器本体ＫＢＵの奥行きを短くすることに限っていえば、譜面台ユニットＭＳＵの有無は問わず、例えば、前板部６２の前面６２ａを延長し、この前面６２ａのみで譜面８４の背面を保持する構成であってもよい。
【００４８】
なお、譜面板７９は、支持部材７３の自由端部７３ｂを取付部材７１の係止部７１ｃに係止することで立設されたが、自由端部７３ｂを係止する箇所は、取付部材７１の一部であればよく、必ずしも他端部７１ｂに設けた係止部７１ｃでなくてもよい。
【００４９】
なお、係合ボルト７６及び係合穴７１ｄは、取付部材７１の仮固定機能、好ましくはさらに仮位置決め機能を果たすような、鉤状等の係合部とこれに対応する被係合部の組み合わせであればよく、必ずしも頭部７６ａ、首部７６ｂ、及び大穴７１ｄ１、小穴７１ｄ２を有する構成に限定されるものではない。
【００５０】
なお、取付部材７１を屋根板部６１に固着する固着部は、締結用穴８３に限定されず、固着具もネジ７７に限定されない。
【符号の説明】
【００５１】
４２  蓋体（スライド開閉蓋）、  ４２ａ  後部、  ６１  屋根板部（屋根板）、  ６２  前板部、  ６２ａ  前面、  ６２ｂ  下部、  ６３  譜面受け部材、  ７９  譜面板、  ８４  譜面
【図１】
2010020355.tif 000003
【図２】
2010020355.tif 000004
【図３】
2010020355.tif 000005